【手続補正書】
【提出日】平成30年10月30日(2018.10.30)
【手続補正１】
【補正対象書類名】特許請求の範囲
【補正対象項目名】全文
【補正方法】変更
【補正の内容】
【特許請求の範囲】
【請求項１】
像担持体又は記録媒体に向けて光を照射する発光手段と、
前記像担持体又は前記記録媒体の移動方向である第１方向に沿って配列された複数の第１受光素子を有し、前記発光手段が発光した光の前記像担持体又は前記記録媒体での正反射光を受光する様に配置された第１受光手段と、
前記第１方向とは異なる第２方向において前記第１受光手段とは異なる位置に配置され、前記第１方向に沿って配列された複数の第２受光素子を有し、前記発光手段が発光した光の前記像担持体又は前記記録媒体での散乱反射光を受光する様に配置された第２受光手段と、
前記第１受光手段の前記複数の第１受光素子それぞれについて第１有効受光素子とするか否かを選択し、前記第２受光手段の前記複数の第２受光素子それぞれについて第２有効受光素子とするか否かを選択する選択手段と、
前記選択手段が選択した前記第１有効受光素子の出力から第１検出信号を生成し、前記選択手段が選択した前記第２有効受光素子の出力から第２検出信号を生成する生成手段と、
前記第１検出信号及び前記第２検出信号に基づき前記像担持体又は前記記録媒体に形成された対象物を検出する検出手段と、
を備えていることを特徴とする画像形成装置。
【請求項２】
前記第１有効受光素子として選択する前記第１受光手段の第１受光素子と、前記第２有効受光素子として選択する前記第２受光手段の第２受光素子と、を示す選択情報を格納する格納手段をさらに備えており、
前記選択手段は、前記選択情報に基づき前記第１有効受光素子及び前記第２有効受光素子を選択することを特徴とする請求項１に記載の画像形成装置。
【請求項３】
前記選択情報を前記格納手段に格納する制御手段をさらに備えていることを特徴とする請求項２に記載の画像形成装置。
【請求項４】
前記第１有効受光素子は、前記第１受光手段の前記複数の第１受光素子の内、前記正反射光が照射される第１受光素子から選択されることを特徴とする請求項１から３のいずれか１項に記載の画像形成装置。
【請求項５】
前記像担持体又は前記記録媒体に画像を形成する形成手段をさらに備えており、
前記対象物は、前記画像であり、
前記検出手段は、前記第１検出信号に基づき前記画像の位置又は濃度を検出することを特徴とする請求項１から４のいずれか１項に記載の画像形成装置。
【請求項６】
前記選択手段は、前記第１検出信号に基づき前記画像の濃度を検出する際の前記第１有効受光素子の数を、前記第１検出信号に基づき前記画像の位置を検出する際の前記第１有効受光素子の数より多くすることを特徴とする請求項５に記載の画像形成装置。
【請求項７】
前記検出手段は、少なくとも２つの異なる第１有効受光素子、又は、少なくとも２つの異なる第２有効受光素子から出力される２つの信号の差に基づき前記像担持体又は前記記録媒体の移動速度を検出することを特徴とする請求項１から６のいずれか１項に記載の画像形成装置。
【請求項８】
前記像担持体又は前記記録媒体に画像を形成する形成手段をさらに備えており、
前記対象物は、前記画像であり、
前記検出手段は、前記第１検出信号及び前記第２検出信号に基づき前記画像の位置又は濃度を検出することを特徴とする請求項１から７のいずれか１項に記載の画像形成装置。
【請求項９】
前記検出手段が前記画像の濃度を検出する場合、前記選択手段は、前記第１受光手段の前記複数の第１受光素子から前記第１有効受光素子を選択し、前記第２受光手段の前記複数の第２受光素子から前記第２有効受光素子を選択することを特徴とする請求項８に記載の画像形成装置。
【請求項１０】
前記検出手段が前記画像の濃度を検出する場合、前記選択手段が選択する前記第２有効受光素子の数は、前記選択手段が選択する前記第１有効受光素子の数以上であることを特徴とする請求項９に記載の画像形成装置。
【請求項１１】
前記第１受光手段及び前記第２受光手段は、前記第１方向とは直交する前記第２方向に沿って配置されることを特徴とする請求項１から１０のいずれか１項に記載の画像形成装置。
【請求項１２】
前記選択手段は、ハードウェアで構成されることを特徴とする請求項１から１１のいずれか１項に記載の画像形成装置。
【請求項１３】
前記第１受光手段及び前記第２受光手段に入射する散乱反射光の前記第１方向の大きさを制限するための絞り部材をさらに備えていることを特徴とする請求項１から１２のいずれか１項に記載の画像形成装置。
【請求項１４】
第１方向に移動する対象物に向けて光を照射する発光手段と、
前記第１方向に沿って配列された複数の第１受光素子を有し、前記発光手段が発光した光の前記対象物での反射光を受光する様に配置された第１受光手段と、
前記第１方向とは異なる第２方向において前記第１受光手段とは異なる位置に配置され、前記第１方向に沿って配列された複数の第２受光素子を有し、前記発光手段が発光した光の前記対象物での反射光を受光する様に配置された第２受光手段と、
前記第１受光手段の前記複数の第１受光素子それぞれについて第１有効受光素子とするか否かを選択し、前記第２受光手段の前記複数の第２受光素子それぞれについて第２有効受光素子とするか否かを選択する選択手段と、
前記選択手段が選択した前記第１有効受光素子の出力から第１検出信号を生成し、前記選択手段が選択した前記第２有効受光素子の出力から第２検出信号を生成する生成手段と、
前記第１検出信号及び前記第２検出信号を出力する出力手段と、
を備えていることを特徴とする光学センサ。
【請求項１５】
前記第１有効受光素子として選択する前記第１受光手段の第１受光素子と、前記第２有効受光素子として選択する前記第２受光手段の第２受光素子と、を示す選択情報を格納する格納手段をさらに備えており、
前記選択手段は、前記選択情報に基づき前記第１有効受光素子及び前記第２有効受光素子を選択することを特徴とする請求項１４に記載の光学センサ。
【請求項１６】
外部装置と通信する通信手段をさらに備えており、
前記格納手段に格納される前記選択情報は、前記外部装置から取得されることを特徴とする請求項１５に記載の光学センサ。
【請求項１７】
前記第１受光手段は、前記発光手段が発光した光の前記対象物での正反射光を受光する様に配置され、
前記第１有効受光素子は、前記第１受光手段の前記正反射光が照射される第１受光素子から選択されることを特徴とする請求項１４から１６のいずれか１項に記載の光学センサ。
【請求項１８】
前記第２受光手段は、前記発光手段が発光した光の前記対象物での散乱反射光を受光する様に配置され、
前記第２有効受光素子は、前記第２受光手段の前記散乱反射光が照射される第２受光素子から選択されることを特徴とする請求項１４から１７のいずれか１項に記載の光学センサ。
【請求項１９】
前記出力手段は、前記第１検出信号及び前記第２検出信号を画像形成装置に出力し、
前記画像形成装置は、前記第１検出信号及び前記第２検出信号に基づき前記対象物の位置又は濃度を検出することを特徴とする請求項１４から１８のいずれか１項に記載の光学センサ。
【請求項２０】
前記画像形成装置が前記対象物の濃度を検出する場合、前記選択手段は、前記第１受光手段の前記複数の第１受光素子から前記第１有効受光素子を選択し、前記第２受光手段の前記複数の第２受光素子から前記第２有効受光素子を選択することを特徴とする請求項１９に記載の光学センサ。
【請求項２１】
前記画像形成装置は、少なくとも２つの異なる第１有効受光素子、又は、少なくとも２つの異なる第２有効受光素子から出力される２つの信号の差に基づき前記対象物の移動速度を検出することを特徴とする請求項１９又は２０に記載の光学センサ。
【請求項２２】
前記第１受光手段及び前記第２受光手段は、前記第１方向とは直交する前記第２方向に沿って配置されることを特徴とする請求項１４から２１のいずれか１項に記載の光学センサ。
【請求項２３】
前記選択手段は、ハードウェアで構成されることを特徴とする請求項１４から２２のいずれか１項に記載の光学センサ。
【請求項２４】
前記第１受光手段及び前記第２受光手段に入射する反射光の前記第１方向の大きさを制限するための絞り部材をさらに備えていることを特徴とする請求項１４から２３のいずれか１項に記載の光学センサ。
【請求項２５】
像担持体又は記録媒体に向けて光を照射する発光手段と、
前記像担持体又は前記記録媒体の移動方向である第１方向に沿って配列された複数の第１受光素子を有し、前記発光手段が発光した光の前記像担持体又は前記記録媒体での正反射光を受光する様に配置された第１受光手段と、
前記第１方向とは異なる第２方向において前記第１受光手段とは異なる位置に配置され、前記第１方向に沿って配列された複数の第２受光素子を有し、前記発光手段が発光した光の前記像担持体又は前記記録媒体での散乱反射光を受光する様に配置された第２受光手段と、
前記第１受光手段の前記複数の第１受光素子のうちの有効と設定された第１有効受光素子の出力から第１検出信号を生成し、前記第２受光手段の前記複数の第２受光素子のうちの有効と設定された第２有効受光素子の出力から第２検出信号を生成する生成手段と、
前記第１検出信号及び前記第２検出信号に基づき前記像担持体若しくは前記記録媒体に形成された対象物、又は、前記像担持体若しくは前記記録媒体の表面を検出する検出手段と、
を備えていることを特徴とする画像形成装置。
【請求項２６】
第１方向に移動する対象物に向けて光を照射する発光手段と、
前記第１方向に沿って配列された複数の第１受光素子を有し、前記発光手段が発光した光の前記対象物での反射光を受光する様に配置された第１受光手段と、
前記第１方向とは異なる第２方向において前記第１受光手段とは異なる位置に配置され、前記第１方向に沿って配列された複数の第２受光素子を有し、前記発光手段が発光した光の前記対象物での反射光を受光する様に配置された第２受光手段と、
前記第１受光手段の前記複数の第１受光素子のうちの有効と設定された第１有効受光素子の出力から第１検出信号を生成し、前記第２受光手段の前記複数の第２受光素子のうちの有効と設定された第２有効受光素子の出力から第２検出信号を生成する生成手段と、
前記第１検出信号及び前記第２検出信号を出力する出力手段と、
を備えていることを特徴とする光学センサ。
【手続補正２】
【補正対象書類名】明細書
【補正対象項目名】０００６
【補正方法】変更
【補正の内容】
【０００６】
本発明に一側面によると、画像形成装置は、像担持体又は記録媒体に向けて光を照射する発光手段と、前記像担持体又は前記記録媒体の移動方向である第１方向に沿って配列された複数の第１受光素子を有し、前記発光手段が発光した光の前記像担持体又は前記記録媒体での正反射光を受光する様に配置された第１受光手段と、前記第１方向とは異なる第２方向において前記第１受光手段とは異なる位置に配置され、前記第１方向に沿って配列された複数の第２受光素子を有し、前記発光手段が発光した光の前記像担持体又は前記記録媒体での散乱反射光を受光する様に配置された第２受光手段と、前記第１受光手段の前記複数の第１受光素子それぞれについて第１有効受光素子とするか否かを選択し、前記第２受光手段の前記複数の第２受光素子それぞれについて第２有効受光素子とするか否かを選択する選択手段と、前記選択手段が選択した前記第１有効受光素子の出力から第１検出信号を生成し、前記選択手段が選択した前記第２有効受光素子の出力から第２検出信号を生成する生成手段と、前記第１検出信号及び前記第２検出信号に基づき前記像担持体又は前記記録媒体に形成された対象物を検出する検出手段と、を備えていることを特徴とする。